(57)【要約】【課題】  簡単な操作で、十分な強度を備える上周縁部を編成することが可能な、ボタンホールの編成方法およびボタンホールを備える編地を提供する。【解決手段】  Ｓ１１，Ｓ１２では、基点の編針Ｍ，ｍに給糸して新たな編目を割増やしで形成し、割増やされた編目は、隣接する編針Ｌ，ｌに移動する。Ｓ１３では、割増やされた編目を移動後に係止する編針Ｌに給糸して新たな編目を形成し、移動後の編目はノックオーバさせる。以下、同様な手順が、編針ｌに係止する移動後の編目に対しても行われ、さらに割増やしの基点を順次移動させながら、繰返されてボタンホール１の上周縁部４が形成される。前後の針床ＦＢ，ＢＢを交互に使用するので、前後針床ＦＢ，ＢＢ間に渡り糸による編糸の余裕ができ、編糸の突っ張りが減るとともに、渡り糸を繋ぎながらボタンホールの上周縁部４を編成し、強度を向上させることができる。【選択図】図３
2012197524.tif 000002
【特許請求の範囲】
【請求項１】
少なくとも歯口を挟んで対向する前後一対の針床を備え、編目の形成と移動とが可能な横編機で、編成する編地内にコース方向に拡がるボタンホール形成する処理を、ボタンホールの下周縁部でいったん編終りにして、ボタンホールの上周縁部を編始めて行う、ボタンホールの編成方法において、
ボタンホールの上周縁部の編成は、コース方向の始端側から終端側へ、編針に係止されている編目を割増やしてから割増やされた編目を隣接する編針に移動させ、編目を移動させた編針に新たな編目を形成して次の割増やしの基点とする処理を、前後の針床について交互に繰返して行う、
ことを特徴とするボタンホールの編成方法。
【請求項２】
前記ボタンホールの上周縁部の編成では、前記始端側で前後の針床に係止する各一目の編目を、前記前後の針床について交互に繰返して行う処理の基点とする、
ことを特徴とする請求項１記載のボタンホールの編成方法。
【請求項３】
前記ボタンホールの下周縁部の編成では、
連続した割増やし編成と、
目移しによる重ね目の形成と、
重ね目に対する編成とを繰返して、
伏目処理する、
ことを特徴とする請求項１または２記載のボタンホールの編成方法。
【請求項４】
少なくとも歯口を挟んで対向する前後一対の針床を備え、編目の形成と移動とが可能な横編機で編成され、編地内でコース方向に拡がり、ウエール方向の途中となる下周縁部でいったん編終りにしてから上周縁部を編始めて、下周縁部と上周縁部との間に形成されるボタンホールを備える編地において、
ボタンホールの上周縁部は、コース方向の始端側から終端側へ、前後の針床の編針に係止されている編目を、順次交互に割増やして、割増やされた編目を終端側に隣接する編針に移動し、移動した編目を基点として、順次新たな割増やしを行う処理の繰返しで形成されている、
ことを特徴とするボタンホールを備える編地。
【発明の詳細な説明】
【技術分野】
【０００１】
本発明は、横編機で編地を編成する際に編成処理の一部として形成され、後工程での形成が不要な、ボタンホールの編成方法およびボタンホールを備える編地に関する。
【背景技術】
【０００２】
従来から、ボタン付の衣服などには、ボタンを掛けて止めるためのボタンホールが設けられている。編地でカーディガンなどの衣服を製造する場合は、編地を編成中に、ボタンホールも併せて形成することができる（たとえば、特許文献１参照）。編成中にボタンホールを形成すれば、編地の編成後に部分的な切断で孔をあけ、孔の周囲にミシンによる縢りを行うような後工程でボタンホールを設ける必要はない。
【０００３】
特許文献１には、少なくとも前後一対の針床を備える横編機で、編成中の編地のウエール方向の途中に、ボタンホールを形成する編成方法が開示されている。ボタンホールは、ウエール方向への編目の連続を中断させて、いったん編終りとして伏目処理を行うことで、下周縁部が形成され、下周縁部の編目を係止している編針から編目が払われて空針となる。特許文献１の実施例１によれば、ボタンホールの上周縁部は、一方の針床の編針で係止する編目を対向する他方の針床の空針に向けて順次割増やして形成される。また他の実施例では、空針に対する編出し処理を行って、ボタンホールの上周縁部の編成を開始している。
【先行技術文献】
【特許文献】
【０００４】
【特許文献１】特許第２５７３１０１号公報
【発明の概要】
【発明が解決しようとする課題】
【０００５】
特許文献１に実施例１として開示されるようなボタンホールの編成方法では、他の実施例のような空針への編出し処理を行う必要がない。編出し処理を行うと、ウエール方向に後続する編目の編成を確実に行うために、抜き糸などを使用して上周縁部の編出し部分の編目と下周縁部の編目とを連結し、上周縁部を改めて歯口下方に引下げる必要がある。しかしながら、特許文献１の実施例１でも、前後の針床間で一方の針床の編目に対し割増やし行うだけであるので、編糸の伸びが小さくなり、特に、編針の配列密度が高くなって編糸が細いような場合に、上周縁部の強度が低下するおそれがある。ボタンホールの上周縁部の強度が低下すると編糸が切れて、ボタンが外れやすくなるなどの機能低下を招く。強度低下を補うような補強を後工程で行うと、ボタンホール形成の手間が増大してしまう。
【０００６】
本発明の目的は、簡単な操作で、十分な強度を備える上周縁部を編成することが可能な、ボタンホールの編成方法およびボタンホールを備える編地、を提供することである。
【課題を解決するための手段】
【０００７】
本発明は、少なくとも歯口を挟んで対向する前後一対の針床を備え、編目の形成と移動とが可能な横編機で、編成する編地内にコース方向に拡がるボタンホール形成する処理を、ボタンホールの下周縁部でいったん編終りにして、ボタンホールの上周縁部を編始めて行う、ボタンホールの編成方法において、
ボタンホールの上周縁部の編成は、コース方向の始端側から終端側へ、編針に係止されている編目を割増やしてから割増やされた編目を隣接する編針に移動させ、編目を移動させた編針に新たな編目を形成して次の割増やしの基点とする処理を、前後の針床について交互に繰返して行う、
ことを特徴とするボタンホールの編成方法である。
【０００８】
また本発明の前記ボタンホールの上周縁部の編成では、前記始端側で前後の針床に係止する各一目の編目を、前記前後の針床について交互に繰返して行う処理の基点とする、
ことを特徴とする。
【０００９】
また本発明の前記ボタンホールの下周縁部の編成では、
連続した割増やし編成と、
目移しによる重ね目の形成と、
重ね目に対する編成とを繰返して、
伏目処理する、
ことを特徴とする。
【００１０】
さらに本発明は、少なくとも歯口を挟んで対向する前後一対の針床を備え、編目の形成と移動とが可能な横編機で編成され、編地内でコース方向に拡がり、ウエール方向の途中となる下周縁部でいったん編終りにしてから上周縁部を編始めて、下周縁部と上周縁部との間に形成されるボタンホールを備える編地において、
ボタンホールの上周縁部は、コース方向の始端側から終端側へ、前後の針床の編針に係止されている編目を、順次交互に割増やして、割増やされた編目を終端側に隣接する編針に移動し、移動した編目を基点として、順次新たな割増やしを行う処理の繰返しで形成されている、
ことを特徴とするボタンホールを備える編地である。
【発明の効果】
【００１１】
本発明によれば、ボタンホールの上周縁部を、前後の針床を交互に使用して割増やしと移動とを繰返す簡単な操作で十分な強度を備えるように形成することができる。割増やされて隣接する編針に移動させる編目は、他の編目に比べて詰んでおり、新たな編目を形成する際にはノックオーバが安定して行えるので、編成が容易となる。割増やし処理を、前後の針床を交互に使用して行うので、前後針床間に渡り糸による編糸の余裕ができ、編糸の突っ張りが減って、編糸の伸び代ができて編地の強度を向上させることができる。
【００１２】
また本発明によれば、前後の渡り糸を繋ぎながらボタンホールの上周縁部を編成し、強度を向上させることができる。
【００１３】
また本発明によれば、ボタンホールの下周縁部の解れ止めを、割増やしと伏目処理とを利用して行い、ボタンを掛けて止める際にも外れにくい、厚みのあるしっかりとした編地を編成して行うことができる。
【００１４】
さらに本発明によれば、細い編糸を使用する目の詰んだ編地でも、周囲の下周縁部と上周縁部とに厚みがあり、十分な強度を備えるボタンホールを備えるようにすることができる。
【図面の簡単な説明】
【００１５】
【図１】図１は、本発明の一実施例としてのボタンホールの編成方法を概略的に示す編成図の一部である。
【図２】図２は、本発明の一実施例として、図１に続く編成図の一部である。
【図３】図３は、本発明の一実施例として、図２に続く編成図の一部である。
【図４】図４は、本発明の一実施例として、図３に続く編成図の一部である。
【図５】図５は、本発明の一実施例として、図４に続く編成図の一部である。
【図６】図５は、図１〜図５に従って編成されるボタンホールを備える編地の一例を示す部分的な表面図および裏面図である。
【発明を実施するための形態】
【００１６】
以下、図１〜図５で本発明の一実施例としてのボタンホールの編成方法の概略的な編成手順の主要部分を示し、図６で編成されたボタンホールを備える編地の一例を示す。各図で、先に説明した部分と対応する部分には同一の参照符を付し、重複する説明を省略する場合がある。また、先に行う図１〜図５の説明でも、後で説明する図６に付す参照符号を使用する。
【実施例】
【００１７】
図１〜図５で、左側のＳ１〜Ｓ２２は、本発明の一実施例であるボタンホールの編成方法に含まれる主要なステップを、相対的な手順として示す。ボタンホール１は、少なくとも歯口を挟んで対向する前後一対の針床を備え、編目の形成と移動とが可能な横編機を使用して編地２を編成する際に形成される。各ステップは、針床に沿って往復移動し、編針を選択的に駆動するカムシステムを搭載するキャリッジの１または複数のストロークで実現される。図１〜図５の右側には、キャリッジの移動方向と、キャリッジの移動で行う処理とを示す。Ｋが付く処理は、編目を形成することを示す。矢印は、左右方向がキャリッジの移動方向、斜めまたは下方向が編目の目移しを示す。処理が複数ある場合は、キャリッジの移動方向に応じて、先行側の処理を先に行い、後行側の処理を後で行う。
【００１８】
なお、以下では、前針床をＦＢ、後針床をＢＢと略称する。編針の配列密度が高く、細い編糸を使用して細かい編目の編地を編成する場合は、前後の針床を上下でそれぞれ備える四枚ベッドの横編機や、トランスファージャックを備える横編機を使用することが好ましい。ＦＢおよびＢＢのみを備える二枚ベッドの横編機を使用する場合は、針抜き編成を行い、対向する針床から目移しで編目を移動させる余地を残しておく必要がある。本実施例では、四枚ベッドの横編機を使用し、ＦＢおよびＢＢは、前後の下段側の針床を示すものとする。各図で、コース方向に配列されるＦＢ側の編針をＡ〜Ｒの大文字で示し、ＢＢ側の編針をａ〜ｒの小文字で示す。また、割増やしを上段側の針床を使用して行う場合には、前針床と後針床をＦＵ，ＢＵでそれぞれ示す。ただし、ボタンホールを形成するために使用する編針の本数は一例であり、ボタンや編目の大きさに合わせて、適宜変更すればよい。図１および図２のＳ１からＳ９では、ボタンホール１の下周縁部３、図３、図４および図５のＳ１０からＳ２２では、ボタンホール１の上周縁部４を、順次編成する。
【００１９】
Ｓ１では、ＦＢの編針Ｃ〜ＰおよびＢＢの編針ｃ〜ｐを使用する編地２の編成中に、編針Ｇ〜Ｌ，ｇ〜ｌの幅のボタンホール１を形成する前の最後のコースとして、編針Ｃ〜Ｐに給糸して、連続的に編目を形成する。Ｓ２では、編針Ｐ〜Ｃに給糸して連続的に編目を形成するとともに、編針Ｌ〜Ｇでは、それぞれ対向する編針ｌ〜ｇへの連続した割増やしも行う。Ｓ３では、ＦＢの編針Ｃ〜Ｆに給糸して編目を形成するとともに、ＢＢの編針ｇにも給糸して編目を形成する。編針ｇには、Ｓ２で編針Ｇから割増やされた編目が係止されており、Ｓ３の新たな編目形成で、割増やされていた編目はノックオーバされる。Ｓ４では、ＢＢの編針ｇに形成した編目を、ＦＢの編針Ｈに目移しし、さらに編針Ｈに給糸して新たな編目を形成し、目移しした編目をノックオーバさせる。これによって、Ｓ２で編針Ｇから対向する編針ｇに割増やしした編目を利用し、編針Ｇから隣接する編針Ｈに伏目を形成することができる。
【００２０】
Ｓ５では、Ｓ２で編針Ｈから割増やしされた編目を係止する編針ｈに給糸して新たな編目を形成し、割増やされた編目はノックオーバさせる。編針Ｈで係止している割増やしの元になった編目は、編針ｉに移動させる。編針ｉには、Ｓ２で編針Ｉから割増やしされた編目が係止されており、この編目に移動した編目が重ねられて重ね目が形成される。Ｓ６では、Ｓ５で編針ｈに形成された編目を、編針Ｉに移動して重ね、さらに給糸して新たな編目を形成し、重ね目はノックオーバさせる。編針ｉには重ね目が残る。これによって、Ｓ２で編針Ｈから対向する編針ｈに割増やしした編目を利用し、編針Ｈから隣接する編針Ｉに伏目を形成し、形成した伏目をノックオーバさせて、編針Ｈを空針にすることができる。
【００２１】
Ｓ７では、編針ｉに給糸して新たな編目を形成し、Ｓ６で形成した重ね目をノックオーバさせ、編針Ｉに形成している編目を、編針ｊで係止する編目に重ねる。次のＳ９までの間では、Ｓ７で編針ｉに形成された編目を、編針Ｊに移動して重ね、さらに給糸して新たな編目を形成し、重ね目はノックオーバさせる。編針ｊには重ね目が残り、編針Ｉ，Ｊ間に伏目が形成されてノックオーバされ、編針Ｉが空針となる。以下、Ｓ６，Ｓ７と同様にして、Ｓ２での連続的な割増やしで形成された編目への重ね目の形成と、重ね目に対する編成とを繰返す。
【００２２】
Ｓ９では、編針ｌに係止していた編目を編針Ｍに重ね、編針Ｍ，Ｎ，Ｏ，Ｐに連続的に給糸して新たな編目をそれぞれ形成する。編針ｍには、重ね目が残り、編針Ｈ，Ｉ，Ｊ，Ｋ、Ｌは空針となる。この状態の編針Ｇ，Ｍ間には、ボタンホール１の下周縁部３が形成されている。このようにして、ボタンホール１の下周縁部３の解れ止めを、割増やしと伏目処理とを利用して行い、細い糸でも切れにくく、ボタンを掛けて止める際にも外れにくい、厚みのあるしっかりとした編地を編成して行うことができる。
【００２３】
Ｓ１０では、編針Ｐ，Ｏ，Ｎ，Ｍに連続的に給糸して新たな編目をそれぞれ形成する。Ｓ１１では、編針Ｍに給糸して新たな編目を割増やしで形成する。編針Ｍに対向する編針ｍは重ね目を係止しているので、割増やしはＢＵの編針に対して行う。割増やされた編目は、編針Ｍに隣接する編針Ｌに移動する。Ｓ１２では、重ね目を係止している編針ｍに給糸して、ＦＵの編針との間に新たな編目を割増やしで形成し、割増やされた編目は編針ｍに隣接する編針ｌに移動する。
【００２４】
Ｓ１３では、Ｓ１１で割増やされた編目を移動後に係止する編針Ｌに給糸して新たな編目を形成し、移動後の編目はノックオーバさせる。Ｓ１４では、Ｓ１２で割増やされた編目を移動後に係止する編針ｌに給糸して新たな編目を形成し、移動後の編目はノックオーバさせる。割増やされて隣接する編針に移動させる編目は、他の編目に比べて詰んでおり、新たな編目を形成する際にはノックオーバが安定して行えるので、編成が容易となる。このような上周縁部４の編成は、編出しとしての編成となるけれども、抜き糸などを用いて下方に引下げる必要もないので、編成を簡素化することができる。
【００２５】
Ｓ１５からＳ１８では、Ｓ１１からＳ１４までで編針Ｍ，ｍを割増やしの基点として行ったものと同様な手順が、割増やしの基点を編針Ｌ，ｌに移動させて行われる。以下も同様な手順が基点を編針Ｋ，ｋ；Ｊ，ｊ；Ｉ，ｉに順次移動させながら、３回繰返されてボタンホール１の上周縁部４が形成される。
【００２６】
Ｓ２０では、割増やされた編目を移動後に係止する編針ｈに給糸して新たな編目を形成し、移動後の編目はノックオーバさせる。編針ｈに続いて、編針Ｇ〜Ｃにも給糸し、連続して編目を形成する。Ｓ２１では、編針ｈ〜ｍに係止されている編目を編針Ｈ〜Ｍにそれぞれ目移しして重ね目とする。Ｓ２２では、編針Ｃ〜Ｐに連続して給糸して新たな編目を形成し、上周縁部４を完成させる。
【００２７】
以上のように、ボタンホール１の上周縁部４を、前後の針床ＦＢ，ＢＢを交互に使用して割増やしと移動とを繰返す簡単な操作で十分な強度を備えるように形成することができる。処理を、前後の針床ＦＢ，ＢＢを交互に使用して行うので、前後針床ＦＢ，ＢＢ間に渡り糸による編糸の余裕ができ、編糸の突っ張りが減るとともに、前後の渡り糸を繋ぎながらボタンホールの上周縁部４を編成し、強度を向上させることができる。
【００２８】
図６は、図１〜図５の編成方法を用いて形成したボタンホールを備える編地の一例を示す。このボタンホールを備える編地は、カーディガンなどを形成するパーツとなる前立てとして編成され、図では横方向に伸びる形状で示されるボタンホール１は、上下方向に伸びる状態で使用される。ボタンホール１を形成する編地２は、ＦＢ，ＢＢの両方を使用するガーター編みで形成され、ＦＢ側、ＢＢ側の外観を同等にすることができる。ＦＢ，ＢＢの両方を使用する他の編み方、たとえば袋編みで形成することもできる。平編みなどで、ＦＢ，ＢＢのうちの一方のみを使用して編成してもよい。また、図６では編地２がガーター組織で表目と裏目に繋がるため、ＦＢとＢＢの上下が逆となっているけれども（ＦＢの上側とＢＢの下側、ＦＢの下側とＢＢの上側）、本実施例では、編地２との繋がりが同じであればＦＢとＢＢの表裏／上下が同じ見栄えとなる。
【００２９】
ボタンホール１の上周縁部４は、コース方向の始端側から終端側へ、前後の針床の編針に係止されている編目を、順次交互に割増やして、割増やされた編目を終端側に隣接する編針に移動し、移動した編目を基点として、順次新たな割増やしを行う処理の繰返しで形成されている、細い編糸を使用する目の詰んだ編地２でも、周囲の下周縁部３と上周縁部４とに厚みがあり、十分な強度を備えるボタンホール１を備えるようにすることができる。
【符号の説明】
【００３０】
１  ボタンホール
２  編地
３  下周縁部
４  上周縁部
【図１】
2012197524.tif 000003
【図２】
2012197524.tif 000004
【図３】
2012197524.tif 000005
【図４】
2012197524.tif 000006
【図５】
2012197524.tif 000007
【図６】
2012197524.tif 000008